(57)【要約】  本願は、強度変調光信号の直接検出のための光受信機を開示するものであり、その光受信機のデジタル信号プロセッサは、受信される光信号の内部クロックを、信号のアイパターンが相当に閉じられるとしても、分散補償処理に依拠することなく、高い信頼性で再生する能力のあるクロック再生回路を用いる。例としての実施形態では、クロック再生回路は、受信される光信号に対応するデジタルスペクトル成分のサブセットのみを使用して、サンプリング位相を決定する、および時間的に追跡するように動作する、周波数領域位相検出器を備える。決定されたサンプリング位相は、次いで、受信される光信号のデジタル電気サンプルを、その光信号の内部クロックと同期させることを、デジタル補間によって、または、受信機のアナログ−デジタル変換器のサンプリング周波数および位相の適切な制御によって行うために使用される。クロック再生回路の一部の実施形態は、２チャネル光受信機で有益に使用され得る。
2019506090.tif 000002
【特許請求の範囲】
【請求項１】
第１の光入力信号を、第１の光入力信号の光パワーに比例する第１の電気信号に変換するように構成される第１の光検出器と、
第１の電気信号をデジタル的にサンプリングすることにより、デジタル電気サンプルの第１のシーケンスを生成するように構成される第１のアナログ−デジタル変換器と、
デジタル信号プロセッサであって、
デジタルスペクトル成分の第１のセットを生成するために、フーリエ変換演算をデジタル電気サンプルの第１のシーケンスに適用することと、
デジタルスペクトル成分の第１のセットを、デジタルスペクトル成分の第１のサブセットおよび第２のサブセットに分離することと、
第１のサンプリング位相を、デジタルスペクトル成分の第１のサブセットを使用して計算することと、
第１の光入力信号内に符号化されたデータを、第１のサンプリング位相を使用して再生することと
を行うように構成される、デジタル信号プロセッサと
を備える、装置。
【請求項２】
第１の光入力信号が、パルス振幅変調光信号であり、
第１の光入力信号が、単側波帯光信号である、
請求項１に記載の装置。
【請求項３】
デジタル信号プロセッサが、
デジタルスペクトル成分の対応する共役化されたセットを生成するために、複素共役化演算をデジタルスペクトル成分の第２のサブセットに適用することと、
第１のサンプリング位相を、デジタルスペクトル成分の前記対応する共役化されたセットを使用して計算することと、
積の対応するセットを生成するために、第１のサブセットのデジタルスペクトル成分に、対応する共役化されたセットのデジタルスペクトル成分を乗算することと、
前記積の和を生成することと、
第１のサンプリング位相を、前記和の位相を使用して計算することと
を行うようにさらに構成される、請求項１に記載の装置。
【請求項４】
デジタル信号プロセッサが、
デジタルスペクトル成分の対応する並べ替えられたセットを生成するために、デジタルスペクトル成分の第１のサブセットに関して並べ替えることと、
第１のサンプリング位相を、デジタルスペクトル成分の前記対応する並べ替えられたセットを使用して計算することと、
積の対応するセットを生成するために、第１のサブセットのデジタルスペクトル成分に、対応する並べ替えられたセットのデジタルスペクトル成分を乗算することと、
前記積の和を生成することと、
第１のサンプリング位相を、前記和の位相を使用して計算することと
を行うようにさらに構成される、請求項１に記載の装置。
【請求項５】
デジタル信号プロセッサが、第１のサンプリング位相に対応するタイミングを各々が有する、デジタル電気サンプルの対応する補間されたシーケンスを生成するために、デジタル電気サンプルの第１のシーケンスを補間するようにさらに構成される、請求項１に記載の装置。
【請求項６】
第１のアナログ−デジタル変換器が、第１の電気信号を、第１のサンプリング位相を使用してデジタル的にサンプリングすることにより、デジタル電気サンプルの第１のシーケンスを生成するようにさらに構成される、請求項１に記載の装置。
【請求項７】
多重化された光信号を光学的に多重分離することにより、第１の光入力信号および第２の光入力信号を生成するように構成される光多重分離器と、
第２の光入力信号を、第２の光入力信号の光パワーに比例する第２の電気信号に変換するように構成される第２の光検出器と、
第２の電気信号をデジタル的にサンプリングすることにより、デジタル電気サンプルの第２のシーケンスを生成するように構成される第２のアナログ−デジタル変換器と
をさらに備え、
デジタル信号プロセッサが、
デジタル電気サンプルの第１のシーケンス、および、デジタル電気サンプルの第２のシーケンスを、複素数値のサンプルの対応するシーケンスに変換することであって、前記複素数値のサンプルの各々が、第１のシーケンスのそれぞれのデジタル電気サンプルを実部として、および、第１のシーケンスのそれぞれのデジタル電気サンプルを虚部として有する、変換することと、
第１のサンプリング位相を、複素数値のサンプルの前記対応するシーケンスを使用して計算することと
を行うようにさらに構成される、
請求項１に記載の装置。
【請求項８】
デジタル信号プロセッサが、
デジタルスペクトル成分の複素数値のスペクトル成分のセットを生成するために、フーリエ変換演算を複素数値のサンプルの前記対応するシーケンスに適用することと、
デジタルスペクトル成分の第１のセットを、複素数値のスペクトル成分のセットを使用して計算することと、
デジタルスペクトル成分の第２のセットを、複素数値のスペクトル成分のセットを使用して計算することであって、デジタルスペクトル成分の前記第２のセットが、デジタル電気サンプルの第２のシーケンスに対応する、計算することと、
デジタルスペクトル成分の第２のセットを、デジタルスペクトル成分の第３のサブセットおよび第４のサブセットに分離することと、
第２のサンプリング位相を、デジタルスペクトル成分の第３のサブセットを使用して計算することと、
第２の光入力信号内に符号化されたデータを、第２のサンプリング位相を使用して再生することと
を行うようにさらに構成される、請求項７に記載の装置。
【請求項９】
デジタル電気サンプルの第１のシーケンス、および、デジタル電気サンプルの第２のシーケンスの各々が、実数値のサンプルを含む、請求項７に記載の装置。
【請求項１０】
デジタル信号プロセッサが、第１のサンプリング位相を、分散補償処理に依拠することなく計算するように構成される、請求項１に記載の装置。
【発明の詳細な説明】
【技術分野】
【０００１】
本開示は、光通信機器に、および、より詳細には、ただし排他的にではなく、光受信機のクロック再生に関係する。
【背景技術】
【０００２】
このセクションは、本開示のより良好な理解を容易にする一助となり得る態様を紹介するものである。したがって、このセクションの記述は、この観点で読まれるべきものであり、何が従来技術にあるか、または、何が従来技術にないかに関する承認として理解されるべきものではない。
【０００３】
一部のデジタルデータストリームは、付随するクロック信号を伴わずに伝送される。データをそのような伝送から再生するために、受信機は、最初に適切なクロック信号を生成し、次いで、生成されたクロック信号を使用して、データ信号を復号する。受信機で実現される信号処理のこの一部分は、クロックおよびデータ再生（ＣＤＲ）と普通は呼称される。
【０００４】
光受信機でのＣＤＲ処理は、受信される光信号が、波長分散、偏波モード分散、付加雑音、ならびに／または、光ファイバリンクでの非線形および他の線形の光学効果に起因して歪まされるならば、難題となり得る。例えば、信号歪みが、受信される信号のアイパターンの相当な閉じを引き起こすとき、ＣＤＲ処理での重大な問題が起こり得る。光通信でしばしば使用される高いデータレートは、典型的には、これらの問題を悪化させ、複雑化する。
【先行技術文献】
【特許文献】
【０００５】
【特許文献１】米国特許第８，６５５，１９１号明細書
【非特許文献】
【０００６】
【非特許文献１】Ｄａｎ  Ｓａｄｏｔ、Ｇ．Ｄｏｒｍａｎ、Ａｌｂｅｒｔ  Ｇｏｒｓｈｔｅｉｎらによる、「Ｓｉｎｇｌｅ  ｃｈａｎｎｅｌ  １１２Ｇｂｉｔ／ｓｅｃ  ＰＡＭ４  ａｔ  ５６Ｇｂａｕｄ  ｗｉｔｈ  ｄｉｇｉｔａｌ  ｓｉｇｎａｌ  ｐｒｏｃｅｓｓｉｎｇ  ｆｏｒ  ｄａｔａ  ｃｅｎｔｅｒｓ  ａｐｐｌｉｃａｔｉｏｎｓ」と表題を付けられ、ＯＰＴＩＣＳ  ＥＸＰＲＥＳＳ、２０１５、第２３巻、第２号、９９１−９９７頁において公表された論文
【発明の概要】
【課題を解決するための手段】
【０００７】
本明細書で開示されるのは、強度変調光信号の直接検出のための光受信機の様々な実施形態であり、その光受信機のデジタル信号プロセッサは、受信される光信号の内部クロックを、信号のアイパターンが相当に閉じられるとしても、分散補償処理に依拠することなく、高い信頼性で再生する能力のあるクロック再生回路を用いる。例としての実施形態では、クロック再生回路は、受信される光信号に対応するデジタルスペクトル成分のサブセットのみを使用して、受信機のアナログ−デジタル変換器のサンプリング位相を決定する、および時間的に追跡するように動作する、周波数領域位相検出器を備える。決定されたサンプリング位相は、次いで、受信される光信号のデジタル電気サンプルを、その光信号の内部クロックと同期させることを、デジタル補間によって、または、受信機のアナログ−デジタル変換器のサンプリング周波数および位相の適切な制御によって行うために使用される。クロック再生回路の一部の実施形態は、２チャネル光受信機で有益に使用され得る。
【０００８】
１つの実施形態によれば、提供されるのは、第１の光入力信号を、第１の光入力信号の光パワーに比例する第１の電気信号に変換するように構成される第１の光検出器と、第１の電気信号をデジタル的にサンプリングすることにより、デジタル電気サンプルの第１のシーケンスを生成するように構成される第１のアナログ−デジタル変換器と、デジタル信号プロセッサであって、デジタルスペクトル成分の第１のセットを生成するために、フーリエ変換演算をデジタル電気サンプルの第１のシーケンスに適用することと、デジタルスペクトル成分の第１のセットを、デジタルスペクトル成分の第１のサブセットおよび第２のサブセットに分離することと、第１のサンプリング位相を、デジタルスペクトル成分の第１のサブセットを使用して計算することと、第１の光入力信号内に符号化されたデータを、第１のサンプリング位相を使用して再生することとを行うように構成される、デジタル信号プロセッサとを備える、装置である。
【０００９】
別の実施形態によれば、提供されるのは、デバイスを製造する方法であって、デジタルスペクトル成分の第１のセットを生成するために、フーリエ変換演算をデジタル電気サンプルの第１のシーケンスに適用することと、デジタルスペクトル成分の第１のセットを、デジタルスペクトル成分の第１のサブセットおよび第２のサブセットに分離することと、第１のサンプリング位相を、デジタルスペクトル成分の第１のサブセットを使用して計算することと、第１の光入力信号内に符号化されたデータを、第１のサンプリング位相を使用して再生することとを行うようにデジタル信号プロセッサを構成するステップを含み、デバイスが、第１の光入力信号を、第１の光入力信号の光パワーに比例する第１の電気信号に変換するように構成される第１の光検出器と、第１の電気信号をデジタル的にサンプリングすることにより、デジタル電気サンプルの第１のシーケンスを生成するように構成される第１のアナログ−デジタル変換器と、デジタル信号プロセッサとを備える、方法である。
【００１０】
様々な開示される実施形態の、他の態様、特徴、および利益は、例によって、以下の詳細な説明および付随する図面から、より完全に明白となるであろう。
【図面の簡単な説明】
【００１１】
【図１】実施形態による、光通信システムのブロック線図を示す図である。
【図２】実施形態による、図１の光通信システムで使用され得るデジタル信号プロセッサのブロック線図を示す図である。
【図３】実施形態による、図２のデジタル信号プロセッサで使用され得るクロック再生回路のブロック線図を示す図である。
【図４】代替的実施形態による、図２のデジタル信号プロセッサで使用され得るクロック再生回路のブロック線図を示す図である。
【図５】別の代替的実施形態による、図２のデジタル信号プロセッサで使用され得るクロック再生回路のブロック線図を示す図である。
【図６】さらに別の代替的実施形態による、図２のデジタル信号プロセッサで使用され得るクロック再生回路のブロック線図を示す図である。
【図７】実施形態による、２チャネルクロック再生回路のブロック線図を示す図である。
【図８】実施形態による、図７の２チャネルクロック再生回路を用い得る光受信機のブロック線図を示す図である。
【発明を実施するための形態】
【００１２】
図１は、実施形態による、光通信システム１００のブロック線図を示す。システム１００は、光ファイバリンク１３０によって互いに光学的に結合される、光送信機１１０と光受信機１５０とを含む。例としての実施形態では、光ファイバリンク１３０は、光ファイバ１３４の対応するセクションの間に結合される光増幅器１３６などの、１つまたは複数の光増幅器を中に有する、増幅される光リンクである。
【００１３】
光送信機１１０は、単側波帯（ＳＳＢ）パルス振幅変調（ＰＡＭ）、例えばＰＡＭ−４、または別の適した変調フォーマットを使用して、入力データストリーム１０２を符号化した、変調された光出力信号１２８を生成するように構成される。例としての実施形態では、光送信機１１０は、レーザ１１２と、ドライバ回路１１６と、光変調器１２０と、光フィルタ１２４とを備える。動作において、レーザ１１２は、光変調器１２０に適用される光キャリア波１１４を生成する。ドライバ回路１１６は、入力データストリーム１０２を電気駆動信号１１８に変換し、この電気駆動信号を光変調器１２０に適用し、そのことにより、光変調器に光キャリア波１１４を変調させる。光変調器１２０により、この様式で生成される、結果的に生じる変調された光信号１２２は、２つの変調側波帯の１つを実質的に除去する、または有意に減衰させるために、光フィルタ１２４により光学的にフィルタリングされる。光フィルタ１２４により出力される、結果的に生じるフィルタリングされた光信号が、変調された光出力信号１２８である。式（１）は、変調された光信号１２８の電場Ｅ（ｔ）を近似的に説明する数式を提供する。
【００１４】
【数１】
2019506090.tif 000003
ここで、ｔは時間であり、Ｅ０は電場振幅であり、１／αはキャリア対信号比であり、ｍ（ｔ）は変調波形であり、
【数２】
2019506090.tif 000004
はｍ（ｔ）のヒルベルト変換であり、ω０は光キャリア周波数である。本明細書では、ＰＡＭ信号は、例えば、信号が、破局的なレベルの信号フェージングを受けることなく、より長い距離を伝搬することを可能にするために、ＳＳＢ形式に形状設定される。
【００１５】
光ファイバリンク１３０を通して送信された後、変調された光信号１２８は、光入力を光受信機１５０に提供する、変調された光信号１４８に変換される。信号１２８と比較されると、信号１４８は、典型的には、例えば、光ファイバリンク１３０により負わされる様々な伝送妨害に起因して、より雑音が多く、より歪まされる。すでに上記で指示されたように、変調された光信号１４８での信号歪みの一部は、波長分散、偏波モード分散、付加雑音、および／または、光ファイバリンク１３０での他の有害な光学効果に起因するものであり得る。
【００１６】
光受信機１５０は、変調された光信号１４８を処理して、データストリーム１０２を再生するように構成され、そのデータストリーム１０２は次いで、外部回路またはデバイス（図１では明示的に示されない）に向けられる。より具体的には、フォト検出器（例えば、フォトダイオード）１５２が、光信号１４８を対応する電気信号１５４に、従来の二乗検波を使用して変換するように動作する。電気信号１５４は、トランスインピーダンス増幅器（ＴＩＡ）１５６で増幅され、結果的に生じる増幅された電気信号１５８が、デジタル形式に、アナログ−デジタル変換器（ＡＤＣ）１６０により変換される。デジタル信号プロセッサ（ＤＳＰ）１６４が次いで、ＡＤＣ１６０により生成される、結果的に生じるデジタル電気信号１６２を処理して、データストリーム１０２を再生する。ＤＳＰ１６４で実装される処理は、とりわけＣＤＲ処理を含み、そのＣＤＲ処理の例としての実施形態は、より詳細に下記で、図２−７を参照して説明される。
【００１７】
ＡＤＣ１６０は、制御信号１６６によりセットされる適切なサンプリング周波数およびサンプリング位相を使用して、増幅された電気信号１５８をサンプリングすることにより、デジタル電気信号１６２を生成する。一部の実施形態では、制御信号１６６は、光信号１４８の公称的なシンボルレートより２倍高いが、さもなければ、その光信号の内部クロックと同期させられない、周波数を有し得る。一部の他の実施形態では、制御信号１６６は、例えば、より詳細に下記で、図４−５を参照して説明されるような、ＤＳＰ１６４のクロック再生回路を使用して生成され得る。
【００１８】
図２は、実施形態による、ＤＳＰ１６４（図１）のブロック線図を示す。デジタル電気信号１６２、任意選択の制御信号１６６、および出力データストリーム１０２（図１）も図２で示される。例としての実施形態では、ＤＳＰ１６４は、クロック再生回路２１０と、信号等化器２２０と、スライサ２３０とを備える。当業者であれば、ＤＳＰ１６４は、その代替的実施形態では、電子分散補償器などの、追加的な知られている信号処理回路を含み得るということを理解するであろう。
【００１９】
クロック再生回路２１０で実装されるクロック再生は、一般的には、ＤＳＰ１６４で遂行されるデジタル信号処理を、光信号１４８の内部クロックと同期させることに方向付けされる。例としての実施形態では、クロック再生回路２１０は、（ｉ）クロック信号をデジタル電気信号１６２から抽出することと、（ｉｉ）デジタル電気信号１６２により搬送されるデータサンプルを、結果的に生じるデジタル電気信号２１２が、周波数および位相において、光信号１４８の内部クロックと同期された、対応するデータサンプルを搬送することを引き起こす様式で処理することとを行うように動作する。一部の実施形態では、クロック再生回路２１０はさらには、ＡＤＣ１６０（図１を確認されたい）にフィードバックされる制御信号１６６を、そのＡＤＣ１６０のサンプリングレートおよび位相をセットするために生成するように構成され得る。クロック再生回路２１０の例としての実施形態は、より詳細に下記で、図３−６を参照して説明される。クロック再生回路２１０の一部の実施形態は、例えば、米国特許第８，６５５，１９１号で開示されているクロック再生技法の使用から利益を得るものであり得るものであり、この文献は、引用によりその全体が本明細書に組み込まれている。
【００２０】
信号等化器２２０で実装される信号等化は、一般的には、（ｉ）光ファイバリンク１３０（図１）で光信号１４８に与えられる、および、（ｉｉ）光受信機１５０のフロントエンド（上流回路網）によりデジタル電気信号１６２にさらに与えられる、様々な信号損傷の有害な効果を低減することに方向付けされる。この信号等化の一般的な目的は、再生されるデータストリーム１０２のビット誤り率（ＢＥＲ）を低減することである。信号等化器２２０は、クロック再生回路２１０から下流に位置し、そのことは、クロック再生回路が、信号等化器で実装される分散補償などの等化処理に依拠することなく、クロック信号を再生するように動作するということを意味するということに留意されたい。信号等化器２２０の一部の実施形態は、例えば、（ｉ）所有者が共通する米国特許出願第１４／５７５，５９６号、および、（ｉｉ）Ｄａｎ  Ｓａｄｏｔ、Ｇ．Ｄｏｒｍａｎ、Ａｌｂｅｒｔ  Ｇｏｒｓｈｔｅｉｎらによる、「Ｓｉｎｇｌｅ  ｃｈａｎｎｅｌ  １１２Ｇｂｉｔ／ｓｅｃ  ＰＡＭ４  ａｔ  ５６Ｇｂａｕｄ  ｗｉｔｈ  ｄｉｇｉｔａｌ  ｓｉｇｎａｌ  ｐｒｏｃｅｓｓｉｎｇ  ｆｏｒ  ｄａｔａ  ｃｅｎｔｅｒｓ  ａｐｐｌｉｃａｔｉｏｎｓ」と表題を付けられ、ＯＰＴＩＣＳ  ＥＸＰＲＥＳＳ、２０１５、第２３巻、第２号、９９１−９９７頁において公表された論文で開示されている、線形および／または非線形信号等化技法の使用から利益を得るものであり得るものであり、これらの文献の両方は、引用によりそれらの全体が本明細書に組み込まれている。
【００２１】
例としての実施形態では、スライサ２３０は、１つまたは複数の動的に調整可能な非対称しきい値を用いて、信号等化器２２０から受信される、等化されたデジタル信号２２２での信号レベルを適正に決定し得る。スライサ２３０でのしきい値調整は、典型的には、再生されるデータストリーム１０２のＢＥＲのさらなる低減を引き起こす様式で履行される。
【００２２】
図３は、実施形態による、クロック再生回路２１０（図２）として使用され得るクロック再生回路３００のブロック線図を示す。例としての実施形態では、クロック再生回路３００は、位相検出器３１０と、補間器３２０と、スタッフィング／ドロッピング回路３３０とを備える。クロック再生回路３００は、制御信号１６６（さらには、図１−２を確認されたい）を生成するようには構成されない。
【００２３】
動作において、位相検出器３１０は、デジタル電気信号１６２に存在する固有クロックトーンの平均位相を追跡して、補間器３２０およびスタッフィング／ドロッピング回路３３０に対する制御信号３１２を生成する。補間器３２０は、制御信号３１２を使用して、デジタル電気信号１６２を、対応するデジタル電気信号３２２に変換する。デジタル電気信号１６２は、ＡＤＣ１６０（図１）のサンプリングレートおよび位相で生成される、実数値のデジタルサンプルを搬送するということを想起されたい。すでに上記で指示されたように、一部の実施形態では、ＡＤＣ１６０のサンプリングレートおよび位相は、光信号１４８（図１）の内部クロックにロックされない。補間器３２０により遂行される補間は、デジタル電気信号３２２により搬送されるデジタルサンプルが、光信号１４８の内部クロックに周波数および位相ロックされることを引き起こす働きをする。例としての実施形態では、補間器３２０は、６次ラグランジュ非整数遅延フィルタを使用して実装され得る。代替的実施形態では、他の適した補間器が同様に、補間器３２０として使用され得る。
【００２４】
スタッフィング／ドロッピング回路３３０は、位相検出器３１０によりカバーされる、技術的に制限される位相範囲の有害な現われを除去する。より具体的には、位相検出器３１０は、典型的には、０から２πラジアンの間の位相範囲で位相値を生成することにより、約２πｍ（ここで、ｍは整数である）の不確定性を伴う、固有クロックトーンの位相を決定し得る。この不確定性は、典型的には、クロックトーンの位相が［０，２π］位相範囲の外側にドリフトするときに、位相検出器３１０の出力での約２πの時折の不連続性につながる。スタッフィング／ドロッピング回路３３０は、（ｉ）クロックトーンの位相が２π位相範囲境界を横切るときに、追加的な信号サンプルをデジタル電気信号３２２（内）に追加する（スタッフィングする）ことと、（ｉｉ）クロックトーンの位相が０位相範囲境界を横切るときに、余分な信号サンプルをデジタル電気信号３２２から除去する（ドロッピングする）こととを行うように動作する。スタッフィング／ドロッピング回路３３０によりこの様式で生成される出力信号が、デジタル電気信号２１２（さらには、図２を確認されたい）である。
【００２５】
例としての実施形態では、位相検出器３１０は、離散（例えば、高速）フーリエ変換を、デジタル電気信号１６２により提供されるデジタルサンプルの相対的に長いシーケンスに適用するように構成される、周波数領域位相検出器である。このシーケンスの長さは、位相検出器３１０が、相対的に高い信頼性および正確性で、クロックトーンの位相を追跡することを可能にするために選択されるアルゴリズムパラメータである。信頼性および正確性は、典型的には、より長いシーケンスの使用によって向上する。例えば、光信号１４８が、近似的に８０ｋｍの標準シングルモードファイバを通って進行する、５６Ｇボー残留側波帯ＰＡＭ−４光信号であるとき、位相検出器３１０で使用される、フーリエ変換に対する十分な長さのシーケンスは、約１２８サンプルであると決定されている。
【００２６】
位相検出器３１０は、デジタルスペクトル成分３０３の対応するセットを生成するために、上記で説明されたフーリエ変換を、デジタル電気信号１６２によって受信されるデジタルサンプルの現在のシーケンスに周期的に適用するように構成される、離散フーリエ変換（ＤＦＴ）回路３０２を備える。実数値である、デジタル電気信号１６２のデジタルサンプルとは異なり、デジタルスペクトル成分３０３は、フーリエ変換の特質に起因して複素数値である。
【００２７】
位相検出器３１０は、ＤＦＴ回路３０２により生成されるデジタルスペクトル成分３０３のセットを、図３でそれぞれ３０６および３０８とラベル付けされる２つのサブセットに分類（または分離）するように動作する分類器３０４をさらに備える。例としての実施形態では、サブセット３０６は、正周波数に位置するＮ／２個のデジタルスペクトル成分３０３を含み、サブセット３０８は、負周波数に位置するＮ／２個のデジタルスペクトル成分３０３を含み、ここでＮは、上記で説明されたフーリエ変換を適用することにより、ＤＦＴ回路３０２により生成されるデジタルスペクトル成分３０３の総数である。共役化回路３１４が次いで、複素共役化をサブセット３０６のデジタルスペクトル成分に適用し、そのことにより、共役化されたデジタルスペクトル成分の対応するセット３１５を生成する。
【００２８】
乗算器３１６および加算器３１８が、サブセット３０８およびセット３１５をさらに処理して、クロックトーンの複素数値の量（Ｚ）を生成する。より具体的には、乗算器３１６および加算器３１８は、複素数値の量Ｚを式（２）によって生成するように構成される。
【００２９】
【数３】
2019506090.tif 000005
ここで、Ｘ（ｋ）は一般的には、第ｋのデジタルスペクトル成分３０３を表象し、Ｘ（ｎ）は、サブセット３０８のデジタルスペクトル成分を表象し、Ｘ＊（ｎ＋Ｎ／２）は、セット３１５のデジタルスペクトル成分を表象する。換言すれば、乗算器３１６は、各々が、サブセット３０８からのデジタルスペクトル成分と、セット３１５からの対応するデジタルスペクトル成分との積である、Ｎ／２−１個の複素数値を生成するように動作する。式（２）での総和は、ｎ＝０でのＤＣスペクトル成分を除外するために、ｎ＝１から開始するということに留意されたい。加算器３１８は次いで、これらのＮ／２−１個の複素数値の和をとって、複素数値の量Ｚを生成する。
【００３０】
クロック位相推定器３２４が、複素数値の量Ｚの偏角（複素平面位相）を決定することにより、制御信号３１２を生成するように構成される。すでに上記で指示されたように、補間器３２０およびスタッフィング／ドロッピング回路３３０は次いで、デジタル電気信号１６２を再サンプリングして、デジタル電気信号２１２を生成するように動作する。デジタル電気信号２１２は、周波数および位相において、光信号１４８の内部クロックと同期された、デジタルサンプルを搬送するということを想起されたい。
【００３１】
図４は、代替的実施形態による、クロック再生回路２１０（図２）として使用され得るクロック再生回路４００のブロック線図を示す。クロック再生回路３００（図３）と同様に、クロック再生回路４００は、位相検出器３１０を用いる。しかしながら、クロック再生回路３００（図３）とは異なり、クロック再生回路４００は、制御信号１６６（さらには、図１−２を確認されたい）を生成するように構成される。
【００３２】
動作において、クロック再生回路４００は、ＡＤＣ１６０が、光信号１４８（さらには、図１を確認されたい）の内部クロックに実質的にロックされるサンプリングレートおよび位相で、電気信号１５８をサンプリングさせる様式で、制御信号１６６を生成する。より具体的には、クロック再生回路４００は、ローパスフィルタ（ＬＰＦ）４１０を使用して、制御信号３１２を、いくつかのフーリエ変換にわたって平均化する。ローパスフィルタ４１０によりこの様式で生成される、結果的に生じるフィルタリングされた信号４１２が、電圧制御発振器（ＶＣＯ）４２０に適用される。電圧制御発振器４２０の出力が、制御信号１６６である。
【００３３】
図５は、別の代替的実施形態による、クロック再生回路２１０（図２）として使用され得るクロック再生回路５００のブロック線図を示す。クロック再生回路５００は、全体的には、クロック再生回路４００と同様であるが、さらには、補間器３２０（クロック再生回路３００、図３でも使用される）を含む。クロック再生回路２１０のこの特定の実施形態は、信号クロックが、相対的に高速の変動、および、相対的に低速のドリフトの両方を被るときに有用であり得る。この状況では、相対的に低速のドリフトは、制御信号１６６により提供されるＡＤＣ１６０へのフィードバックによって対処され、一方で、補間器３２０は、相対的に高速の変動に対処することができる。
【００３４】
図６は、さらに別の代替的実施形態による、クロック再生回路２１０（図２）として使用され得るクロック再生回路６００のブロック線図を示す。クロック再生回路６００は、全体的には、クロック再生回路３００（図３）と同様であり、そのクロック再生回路３００の多くの構成回路を再使用する。しかしながら、クロック再生回路６００で使用される位相検出器の構造は、クロック再生回路３００で使用される位相検出器３１０の構造とは幾分異なる。
【００３５】
より具体的には、クロック再生回路６００で使用される位相検出器は、デジタル電気信号１６２により提供される実数値の入力から、ＤＦＴ回路３０２により生成される、デジタルスペクトル成分３０３のセットの固有対称性に依拠する。この固有対称性は、式（３）により表現される。
【００３６】
Ｘ（ｎ）＝Ｘ＊（Ｎ−ｎ）  （３）
ここで、Ｘ（ｋ）は一般的には、第ｋのデジタルスペクトル成分３０３を表象し、Ｎは、ＤＦＴ回路３０２により生成されるフーリエ変換でのデジタルスペクトル成分３０３の総数であり、ｎ＝｛０，２，…，Ｎ−１｝である。式（３）により表現されるＤＦＴ対称性を使用して、式（２）は、次式のように等価的に書き表され得る。
【００３７】
【数４】
2019506090.tif 000006
式（４）の分析は、複素数値の量Ｚが、サブセット３０８のみに基づいて、および、サブセット３０６の使用を伴わずに算出され得るということを明らかにする。特に、式（３）−（４）は、クロック再生回路３００ではＺの算出で使用される、および、そのクロック再生回路３００ではサブセット３０６（図３を確認されたい）を共役化することにより生成される、セット３１５が、代替的に、サブセット３０８の複雑でない並べ替えにより生成され得るということを示す。したがって、クロック再生回路６００では、サブセット３０６は破棄され（または、全く算出されず）、並べ替え器６１０が、セット３１５を生成するために、分類器３０４から受信されるサブセット３０８の複製を適切に並べ替えるために使用される。クロック再生回路６００での信号処理の残りは、クロック再生回路３００でと同じである。
【００３８】
図７は、実施形態による、２チャネルクロック再生回路７００のブロック線図を示す。クロック再生回路７００は、例えば、２つの独立した光チャネルに対するＣＤＲ処理で、これらの２つのチャネルに対応するクロックが、公称的には同じ周波数を有するが、互いに同一ではない、または、十分に近い非同一の周波数を有する場合に使用され得る。２つの独立した光チャネルは、ＷＤＭ通信システムでの２つの異なるキャリア波長に対応し得るものであり、または、当技術分野で知られているような、別の適した光多重化技法を使用してセットアップされ得る。当業者であれば、どのように光受信機１５０（図１）のフロントエンドを修正して、その光受信機１５０をマルチチャネル光受信機（さらには、図８を確認されたい）に変換すべきかを理解するであろう。マルチチャネル光受信機のＤＳＰでのクロック再生回路７００の使用は有益であり得るものであり、なぜならば、そのことは、２つの異なるチャネルにより共有され得るハードウェアの使用によって、ＤＳＰ複雑度およびコストを低減する傾向にあるからである。
【００３９】
クロック再生回路７００は、クロック再生回路６００（図６を確認されたい）で使用される回路６０２の２つのインスタンス（公称的な複製）を備える。回路６０２のこれらの２つのインスタンスは、図７でそれぞれ６０２１および６０２２とラベル付けされる。第１の光チャネルに対応するデジタル信号サンプルは、デジタル電気信号１６２１によってクロック再生回路７００に適用される。対応する同期されたデジタル電気信号は、回路６０２１により生成され、２１２１とラベル付けされる。第２の光チャネルに対応するデジタル信号サンプルは、デジタル電気信号１６２２によってクロック再生回路７００に適用される。対応する同期されたデジタル電気信号は、回路６０２２により生成され、２１２２とラベル付けされる。
【００４０】
クロック再生回路７００は、複素数値のデジタル入力信号７１２に関して動作するように構成されるＤＦＴ回路７２０を用いるという点で、クロック再生回路７００は、クロック再生回路３００、４００、５００、および６００（図３−６）のいずれとも異なる。対照的に、クロック再生回路３００、４００、５００、および６００の各々は、実数値のデジタル入力信号１６２に関して動作するように構成されるＤＦＴ回路３０２を用いる。複素数値のデジタル入力信号７１２は、クロック再生回路７００で実−複素（Ｒ／Ｃ）信号変換器７１０により生成され、そのＲ／Ｃ信号変換器７１０は、２つの実数値のデジタル入力信号１６２１および１６２２を、式（５）に基づいて、対応する複素数値のデジタル信号に変換する。
【００４１】
ｙ（ｔ）＝ｘ１（ｔ）＋ｊｘ２（ｔ）  （５）
ここで、ｔは時間であり、ｙ（ｔ）は、信号７１２により搬送される複素数値のデジタルサンプルを表象し、ｘ１（ｔ）は、信号１６２１により搬送される実数値のデジタルサンプルを表象し、ｘ２（ｔ）は、信号１６２２により搬送される実数値のデジタルサンプルを表象する。ＤＦＴ回路７２０は、ＤＦＴ演算を複素数値のデジタルサンプルｙ（ｔ）のシーケンスに適用し、そのことにより、そのシーケンスを、複素数値のデジタル信号７２２によってＤＦＴ回路により出力される、複素数値のスペクトル成分の対応するシーケンス｛Ｙ（ｎ）｝に変換する。
【００４２】
ＤＦＴ回路７２０により生成される、複素数値のスペクトル成分Ｙ（ｎ）は、実数値のデジタル入力信号１６２１に対応するスペクトル成分、および、実数値のデジタル入力信号１６２２に対応するスペクトル成分の両方からの寄与を有する。スペクトル成分分離器（ＳＣＳ）回路７３０は、複素数値のデジタル信号７２２により提供される、複素数値のスペクトル成分Ｙ（ｎ）を処理して、これらの寄与を解きほぐし、Ｘ１（ｎ）およびＸ２（ｎ）の対応する値を再生する。ここでは、Ｘ１（ｎ）は、デジタル電気信号１６２１に対応するデジタルスペクトル成分を表象し、Ｘ２（ｎ）は、デジタル電気信号１６２２に対応するデジタルスペクトル成分を表象する。デジタルスペクトル成分Ｘ１（ｎ）およびＸ２（ｎ）の対応するセットが、図７でそれぞれ３０３１および３０３２と表象される。例としての実施形態では、ＳＣＳ回路７３０により履行される処理は、以下の式に基づく。
Ｘ１（ｎ）＝０．５｛Ｙ（ｎ）＋Ｙ＊（Ｎ−ｎ）｝  （６ａ）
Ｘ２（ｎ）＝−０．５ｊ｛Ｙ（ｎ）−Ｙ＊（Ｎ−ｎ）｝  （６ｂ）
【００４３】
回路６０２１および６０２２は、図６を参照して説明されたように、それぞれセット３０３１および３０３２を処理して、対応する同期されたデジタル電気信号２１２１および２１２２を生成するように動作する。
【００４４】
図８は、実施形態による、２チャネルクロック再生回路７００（図７）を用い得る光受信機８００のブロック線図を示す。光受信機８００は、光多重分離器（ＤＭＵＸ）８１０を使用して、多重化された光入力信号８４８を、図８でそれぞれ１４８１および１４８２とラベル付けされる、その多重化された光入力信号８４８の２つの構成成分に多重分離する。多重化された光入力信号８４８を生成するために、遠隔の送信機（図８では明示的に示されない）で使用される、光信号多重化のタイプに依存して、光ＤＭＵＸ８１０は、波長ＤＭＵＸ、偏波ＤＭＵＸ、空間モードＤＭＵＸ、その他であり得る。光受信機８００の第１のチャネル（ＰＤ１５２１と、ＴＩＡ１５６１と、ＡＤＣ１６０１とを備える）が、光信号１４８１を処理して、光受信機１５０（図１）のフロントエンドと同じ様式で、その光信号１４８１を、対応するデジタル電気信号１６２１に変換する。光受信機８００の第２のチャネル（ＰＤ１５２２と、ＴＩＡ１５６２と、ＡＤＣ１６０２とを備える）が、同様に、光信号１４８２を処理して、その光信号１４８２を、対応するデジタル電気信号１６２２に変換する。ＤＳＰ８６４が次いで、デジタル電気信号１６２１および１６２２を処理して、光入力信号８４８内に符号化されたデータ８０２を再生する。最後の方の処理は、とりわけ、２チャネルクロック再生回路７００（図７）を使用して実装されるＣＤＲ処理を含む。
【００４５】
図１−８を参照して上記で開示された例としての実施形態によれば、提供されるのは、第１の光入力信号（例えば、１４８、図１、８）を、第１の光入力信号の光パワーに比例する第１の電気信号（例えば、１５４、図１、８）に変換するように構成される第１の光検出器（例えば、１５２、図１、８）と、第１の電気信号をデジタル的にサンプリングすることにより、（例えば、１６２、図１、８により搬送される）デジタル電気サンプルの第１のシーケンスを生成するように構成される第１のアナログ−デジタル変換器（例えば、１６０、図１、８）と、デジタル信号プロセッサ（例えば、１６４、図１；８６４、図８）であって、デジタルスペクトル成分の第１のセット（例えば、３０３、図３、６、７）を生成するために、フーリエ変換演算を（例えば、３０２、図３、６；７２０、図７を使用して）デジタル電気サンプルの第１のシーケンスに適用することと、デジタルスペクトル成分の第１のセットを、デジタルスペクトル成分の第１のサブセット（例えば、３０８、図３、６）および第２のサブセット（例えば、３０６、図３、６）に（例えば、３０４、図３、６を使用して）分離することと、第１のサンプリング位相を、デジタルスペクトル成分の第１のサブセットを使用して（例えば、３１０、図３−５；６０２、図６−７を使用して）計算することと、第１の光入力信号内に符号化されたデータ（例えば、１０２、図１、２）を、第１のサンプリング位相を使用して再生することとを行うように構成される、デジタル信号プロセッサとを備える、装置（例えば、１００、図１；８００、図８）である。
【００４６】
上記の装置の一部の実施形態では、第１の光入力信号が、パルス振幅変調光信号である。
【００４７】
上記の装置のいずれかの一部の実施形態では、第１の光入力信号が、単側波帯光信号である。
【００４８】
上記の装置のいずれかの一部の実施形態では、デジタル信号プロセッサが、デジタルスペクトル成分の第２のサブセットを（例えば、図６で示されるように）破棄するようにさらに構成される。
【００４９】
上記の装置のいずれかの一部の実施形態では、デジタル信号プロセッサが、デジタルスペクトル成分の対応する共役化されたセット（例えば、３１５、図３）を生成するために、複素共役化演算を（例えば、３１４、図３を使用して）デジタルスペクトル成分の第２のサブセットに適用することと、第１のサンプリング位相を、デジタルスペクトル成分の前記対応する共役化されたセットを使用して計算することとを行うようにさらに構成される。
【００５０】
上記の装置のいずれかの一部の実施形態では、デジタル信号プロセッサが、積の対応するセットを生成するために、第１のサブセットのデジタルスペクトル成分に、対応する共役化されたセットのデジタルスペクトル成分を（例えば、３１６、図３を使用して）乗算することと、前記積の和（例えば、Ｚ、図３）を（例えば、３１８、図３を使用して）生成することと、第１のサンプリング位相を、前記和の位相を使用して（例えば、３２４、図３を使用して）計算することとを行うようにさらに構成される。
【００５１】
上記の装置のいずれかの一部の実施形態では、デジタル信号プロセッサが、デジタルスペクトル成分の対応する並べ替えられたセット（例えば、３１５、図６）を生成するために、デジタルスペクトル成分の第１のサブセットに関して（例えば、６１０、図６を使用して）並べ替えることと、第１のサンプリング位相を、デジタルスペクトル成分の前記対応する並べ替えられたセットを使用して計算することとを行うようにさらに構成される。
【００５２】
上記の装置のいずれかの一部の実施形態では、デジタル信号プロセッサが、積の対応するセットを生成するために、第１のサブセットのデジタルスペクトル成分に、対応する並べ替えられたセットのデジタルスペクトル成分を（例えば、３１６、図６を使用して）乗算することと、前記積の和（例えば、Ｚ、図６）を（例えば、３１８、図６を使用して）生成することと、第１のサンプリング位相を、前記和の位相を使用して（例えば、３２４、図６を使用して）計算することとを行うようにさらに構成される。
【００５３】
上記の装置のいずれかの一部の実施形態では、デジタル信号プロセッサが、第１のサンプリング位相に対応するタイミングを各々が有する、（例えば、２１２、図２、３、５、６、７により搬送される）デジタル電気サンプルの対応する補間されたシーケンスを生成するために、デジタル電気サンプルの第１のシーケンスを（例えば、３２０、図３、５、６を使用して）補間するようにさらに構成される。
【００５４】
上記の装置のいずれかの一部の実施形態では、第１のアナログ−デジタル変換器が、第１の電気信号を、第１のサンプリング位相を使用してデジタル的にサンプリングすることにより、デジタル電気サンプルの第１のシーケンスを生成するように（例えば、１６６、図１、２、４、５に基づいて）さらに構成される。
【００５５】
上記の装置のいずれかの一部の実施形態では、デジタル信号プロセッサが、第１のサンプリング位相に対応するタイミングを各々が有する、（例えば、２１２、図５により搬送される）デジタル電気サンプルの対応する補間されたシーケンスを生成するために、デジタル電気サンプルの第１のシーケンスを（例えば、３２０、図５を使用して）補間するようにさらに構成される。
【００５６】
上記の装置のいずれかの一部の実施形態では、デジタル電気サンプルの第１のシーケンスが、実数値のサンプルを含む。
【００５７】
上記の装置のいずれかの一部の実施形態では、デジタル電気サンプルの第１のシーケンスが、実数値のサンプルからなる。
【００５８】
上記の装置のいずれかの一部の実施形態では、装置が、多重化された光信号（例えば、８４８、図８）を光学的に多重分離することにより、第１の光入力信号および第２の光入力信号（例えば、１４８２、図８）を生成するように構成される光多重分離器（例えば、８１０、図８）をさらに備える。
【００５９】
上記の装置のいずれかの一部の実施形態では、装置が、第２の光入力信号を、第２の光入力信号の光パワーに比例する第２の電気信号（例えば、１５４２、図８）に変換するように構成される第２の光検出器（例えば、１５２２、図８）と、第２の電気信号をデジタル的にサンプリングすることにより、（例えば、１６２２、図８により搬送される）デジタル電気サンプルの第２のシーケンスを生成するように構成される第２のアナログ−デジタル変換器（例えば、１６０２、図８）とをさらに備え、デジタル信号プロセッサが、デジタル電気サンプルの第１のシーケンス、および、デジタル電気サンプルの第２のシーケンスを、（例えば、７１２、図７により搬送される）複素数値のサンプルの対応するシーケンスに（例えば、７１０、図７を使用して）変換することであって、前記複素数値のサンプルの各々が、第１のシーケンスのそれぞれのデジタル電気サンプルを実部として、および、第１のシーケンスのそれぞれのデジタル電気サンプルを虚部として有する、変換することと、第１のサンプリング位相を、複素数値のサンプルの前記対応するシーケンスを使用して（例えば、７２０、７３０、６０２１、図７を使用して）計算することとを行うようにさらに構成される。
【００６０】
上記の装置のいずれかの一部の実施形態では、デジタル信号プロセッサが、デジタルスペクトル成分の複素数値のスペクトル成分のセット（例えば、７２２、図７）を生成するために、フーリエ変換演算を（例えば、７２０、図７を使用して）複素数値のサンプルの前記対応するシーケンスに適用することと、デジタルスペクトル成分の第１のセット（例えば、３０３１、図７）を、複素数値のスペクトル成分のセットを使用して（例えば、７３０、図７を使用して）計算することと、デジタルスペクトル成分の第２のセット（例えば、３０３２、図７）を、複素数値のスペクトル成分のセットを使用して（例えば、７３０、図７を使用して）計算することであって、デジタルスペクトル成分の前記第２のセットが、デジタル電気サンプルの第２のシーケンスに対応する、計算することと、デジタルスペクトル成分の第２のセットを、デジタルスペクトル成分の第３のサブセット（例えば、３０８、図６）および第４のサブセット（例えば、３０６、図６）に（例えば、６０２２、図７を使用して）分離することと、第２のサンプリング位相を、デジタルスペクトル成分の第３のサブセットを使用して（例えば、６０２２、図７を使用して）計算することと、第２の光入力信号内に符号化されたデータ（例えば、８０２、図８の一部）を、第２のサンプリング位相を使用して再生することとを行うようにさらに構成される。
【００６１】
上記の装置のいずれかの一部の実施形態では、デジタル電気サンプルの第１のシーケンス、および、デジタル電気サンプルの第２のシーケンスの各々が、実数値のサンプルを含む。
【００６２】
上記の装置のいずれかの一部の実施形態では、デジタル電気サンプルの第１のシーケンス、および、デジタル電気サンプルの第２のシーケンスの各々が、実数値のサンプルからなる。
【００６３】
上記の装置のいずれかの一部の実施形態では、光多重分離器が、多重化された光信号を、キャリア波長に基づいて多重分離するように構成される、波長多重分離器を備える。
【００６４】
上記の装置のいずれかの一部の実施形態では、光多重分離器が、多重化された光信号を、偏波に基づいて多重分離するように構成される、偏波多重分離器を備える。
【００６５】
上記の装置のいずれかの一部の実施形態では、光多重分離器が、多重化された光信号を、多重化された光信号を搬送するマルチモードのモードファイバの横導波路モードに基づいて多重分離するように構成される、空間モード多重分離器を備える。
【００６６】
上記の装置のいずれかの一部の実施形態では、デジタル信号プロセッサが、第１のサンプリング位相を、分散補償処理に依拠することなく計算するように構成される。
【００６７】
図１−８を参照して上記で開示された別の例としての実施形態によれば、提供されるのは、デバイス（例えば、１５０、図１）を製造する方法であって、（ｉ）デジタルスペクトル成分の第１のセット（例えば、３０３、図３、６、７）を生成するために、フーリエ変換演算を（例えば、３０２、図３、６；７２０、図７を使用して）デジタル電気サンプルの第１のシーケンスに適用することと、（ｉｉ）デジタルスペクトル成分の第１のセットを、デジタルスペクトル成分の第１のサブセット（例えば、３０８、図３、６）および第２のサブセット（例えば、３０６、図３、６）に（例えば、３０４、図３、６を使用して）分離することと、（ｉｉｉ）第１のサンプリング位相を、デジタルスペクトル成分の第１のサブセットを使用して（例えば、３１０、図３−５；６０２、図６−７を使用して）計算することと、（ｉｖ）第１の光入力信号（例えば、１４８、図１、８）内に符号化されたデータ（例えば、１０２、図１、２）を、第１のサンプリング位相を使用して再生することとを行うようにデジタル信号プロセッサ（例えば、１６４、図１；８６４、図８）を構成するステップを含み、デバイスが、（Ａ）第１の光入力信号を、第１の光入力信号の光パワーに比例する第１の電気信号（例えば、１５４、図１、８）に変換するように構成される第１の光検出器（例えば、１５２、図１、８）と、（Ｂ）第１の電気信号をデジタル的にサンプリングすることにより、（例えば、１６２、図１、８により搬送される）デジタル電気サンプルの第１のシーケンスを生成するように構成される第１のアナログ−デジタル変換器（例えば、１６０、図１、８）と、（Ｃ）デジタル信号プロセッサとを備える、方法である。
【００６８】
この開示は、例示的な実施形態への参照を含むが、この明細書は、制限的な意味で解釈されることを意図されない。本開示が関係のある技術分野の当業者に明白である、説明された実施形態の様々な修正形態、ならびに、本開示の範囲の中の他の実施形態は、例えば、以下の特許請求の範囲で表現されるような、本開示の原理および範囲の中にあると考えられる。
【００６９】
一部の実施形態は、方法、および、それらの方法を実践するための装置の形式で具現化され得る。一部の実施形態はさらには、磁気記録媒体、光記録媒体、ソリッドステートメモリ、フロッピーディスケット、ＣＤ−ＲＯＭ、ハードドライブ、または、任意の他の非一時的機械可読記憶媒体などの、有形媒体に記録される、プログラムコードの形式で具現化され得るものであり、プログラムコードが、コンピュータなどの機械内にロードされ、その機械により実行されるとき、その機械は、特許発明を実践するための装置になる。一部の実施形態はさらには、例えば、機械内にロードされる、および／または、機械により実行されることを含めて、非一時的機械可読記憶媒体に記憶される、プログラムコードの形式で具現化され得るものであり、プログラムコードが、コンピュータまたはプロセッサなどの機械内にロードされ、その機械により実行されるとき、その機械は、特許発明を実践するための装置になる。汎用プロセッサ上で実装されるとき、プログラムコードセグメントは、プロセッサと結び付いて、特定の論理回路に類似的に動作する独特なデバイスを提供する。
【００７０】
別段に明示的に記述されない限り、各々の数的な値および範囲は、「約」または「近似的に」という単語が、それらの値または範囲の前にあるかのように、近似的であると解されるべきである。
【００７１】
この開示の性質を解説するために説明および例示された部分の、細部、材料、および配置構成の様々な変更が、当業者により、例えば、以下の特許請求の範囲で表現されるような、本開示の範囲から逸脱することなく行われ得るということが、さらに理解されるであろう。
【００７２】
以下の方法クレームでの要素は、あるとすれば、対応するラベル付けを伴う特定のシーケンスで詳説されるが、そのクレーム詳説が、別段に、それらの要素の一部またはすべてを実装するための特定のシーケンスを示唆しない限り、それらの要素は必ずしも、その特定のシーケンスで実装されることに制限されることを意図されない。
【００７３】
本明細書で「１つの実施形態」または「実施形態」に言及することは、実施形態に関して説明される特定の特徴、構造、または特性が、本開示の少なくとも１つの実施形態に含まれ得るということを意味する。本明細書内の様々な場所で「１つの実施形態で」という語句が出現することは、必ずしもすべてが、同じ実施形態に言及しているものではなく、そしてまた、別個の、もしくは代替的な実施形態は、必ずしも他の実施形態と相互排他的ではない。同じことが、「実装形態」という用語に当てはまる。
【００７４】
さらには、この説明の目的で、「結合する」、「結合している」、「結合される」、「接続する」、「接続している」、または「接続される」という用語は、エネルギーが２つ以上の要素の間で移されることを可能とされ、不可欠ではないが、１つまたは複数の追加的な要素の介在が企図される、当技術分野で知られている、または後に開発される、任意の様式を指す。逆に、「直接結合される」、「直接接続される」、その他の用語は、そのような追加的な要素が存在しないことを示唆する。
【００７５】
説明された実施形態は、すべての点において、単に例示的であり、制約的ではないと考えられるべきものである。特に、本開示の範囲は、本明細書での説明および図によってではなく、添付される特許請求の範囲により指示される。特許請求の範囲の均等性の意味および範囲の中にあるすべての変更は、その特許請求の範囲の、範囲の中に包含されるべきものである。
【００７６】
「プロセッサ」および／または「コントローラ」とラベル付けされる任意の機能ブロックを含む、図で示される様々な要素の機能は、専用ハードウェア、ならびに、適切なソフトウェアと連携した、ソフトウェアを実行する能力のあるハードウェアの使用によって提供され得る。プロセッサにより提供されるとき、機能は、単一の専用プロセッサにより、単一の共有プロセッサにより、または、一部が共有され得る複数の個々のプロセッサにより提供され得る。さらに、「プロセッサ」または「コントローラ」という用語を明示的に使用することは、ソフトウェアを実行する能力のあるハードウェアを排他的に指すと解釈されるべきではなく、制限なしに、デジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読み出し専用メモリ（ＲＯＭ）、ランダムアクセスメモリ（ＲＡＭ）、および不揮発性記憶装置を暗黙に含み得る。従来および／またはカスタムの、他のハードウェアが、さらには含まれ得る。同様に、図で示される任意のスイッチは、単に概念的なものである。それらのスイッチの機能は、プログラム論理の動作によって、専用論理によって、プログラム制御および専用論理の相互作用によって、または、手動でさえ履行され得るものであり、特定の技法は、文脈からより具体的に理解されるように、実装者により選択可能である。
【図１】
2019506090.tif 000007
【図２】
2019506090.tif 000008
【図３】
2019506090.tif 000009
【図４】
2019506090.tif 000010
【図５】
2019506090.tif 000011
【図６】
2019506090.tif 000012
【図７】
2019506090.tif 000013
【図８】
2019506090.tif 000014
【国際調査報告】
2019506090.tif 000015
2019506090.tif 000016
2019506090.tif 000017